(57)【要約】【課題】  マラソン、サッカー又は野球等のスポーツ競技において、これら競技を観戦する観客の興趣を高める。【解決手段】  システムコントローラ２０から送信（出力）されてきた心拍数や血圧等の身体情報を、複数人の競技者それぞれについて競技者毎に同時に競技中に表示する。これにより、観客等の視聴者は、競技を観戦しながら競技中の競技者の身体情報を知ることができるので、競技を観戦する観客の興趣を高めることができ得る。【選択図】図２
2009095558.tif 000002
【特許請求の範囲】
【請求項１】
競技者の身体状態を検出する身体状態検出手段と、
前記身体状態検出手段により検出された検出値に基づく身体情報を競技中に観客に表示するための表示手段と
を備えることを特徴とする競技者用身体状態表示システム。
【請求項２】
前記表示手段は、複数人の競技者についての前記身体情報を、競技者毎に同時に競技中に表示させることを特徴とする請求項１に記載の競技者用身体状態表示システム。
【請求項３】
前記身体状態検出手段は、複数種類の身体状態を検出可能であり、
さらに、前記表示手段は、複数種類の前記身体情報の中から表示させるべき身体情報を選択するための選択手段を有することを特徴とする請求項２に記載の競技者用身体状態表示システム。
【発明の詳細な説明】
【技術分野】
【０００１】
本発明は、競技場に設置された表示システム、又はテレビシステムやインターネットを介した競技の中継システムに用いられる競技者用身体状態表示システムに関するものである。
【背景技術】
【０００２】
例えば、特許文献１に際の発明では、心拍数及び血圧を測定する小型の情報取得装置を、マラソン競技の競技者（ランナー）の腕に装着し、取得した心拍数等の情報を無線にて管理用コンピュータに送信することにより、競技中の競技者の健康管理を行っている。
【特許文献１】特開２００３−１５０７１６号公報
【発明の開示】
【発明が解決しようとする課題】
【０００３】
本発明は、マラソン、サッカー又は野球等のスポーツ競技において、これら競技を観戦する観客の興趣を高めることを目的とする。
【課題を解決するための手段】
【０００４】
本発明は、上記目的を達成するために、請求項１に記載の発明では、競技者の身体状態を検出する身体状態検出手段（１０）と、身体状態検出手段（１０）により検出された検出値に基づく身体情報を競技中に観客に表示するための表示手段（２０）とを備えることを特徴とする。
【０００５】
これにより、請求項１に記載の発明では、観客は、競技を観戦しながら競技中の競技者の身体情報を知ることができるので、競技を観戦する観客の興趣を高めることができ得る。
【０００６】
ここで、「観客」とは、競技場等において競技を直接的に観戦する観客は勿論のこと、テレビ中継やインターネットを介して間接的に競技を観戦する観客（視聴者）も含む意味である。
【０００７】
また、「競技中」とは、観戦者が競技を観戦するときであり、競技者が実際に競技をしている場合に限定されるものではない。
つまり、競技場で直接、競技を観戦している場合には、競技者が競技をしているときと、観戦者が競技を観戦するときとが一致するが、観戦者がテレビ中継やインターネットを介して間接的に競技を観戦する場合には、競技者が実際に競技をしているときと、観戦者が競技を観戦するときとが一致しない。
【０００８】
しかし、請求項１に記載の発明では、直接的に競技を観戦する場合、間接的に競技を観戦する場合を問わず、観戦者を基準として、「観戦者が競技を観戦するとき」が本発明でいう「競技中」に相当する。
【０００９】
また、請求項２に記載の発明では、表示手段（２０）は、複数人の競技者についての身体情報を、競技者毎に同時に競技中に表示させることを特徴とするので、競技を観戦する観客の興趣を一層高めることができ得る。
【００１０】
また、請求項３に記載の発明では、身体状態検出手段（１０）は、複数種類の身体状態を検出可能であり、さらに、表示手段（２０）は、複数種類の身体情報の中から表示させるべき身体情報を選択するための選択手段（４０）を有することを特徴とするので、競技を観戦する観客の興趣をより一層高めることができ得る。
【００１１】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【発明を実施するための最良の形態】
【００１２】
本実施形態は、本発明に係る競技者用身体状態表示システムを、サッカーや野球等の複数人の競技者（プレイヤー）で行う競技に適用したものであり、以下に本発明の実施形態を図面と共に説明する。
【００１３】
１．図面の説明
図１（ａ）は競技者に装着される携帯機１０の模式図であり、図１（ｂ）は、携帯機１０との間で無線信号を送受信するシステムコントローラ２０の概念図である。
【００１４】
２．競技者用身体状態表示システムの概要
２．１．携帯機
携帯機１０は、競技者の身体（例えば、手首や足首等）に装着されて競技者の身体状態を検出する身体状態検出手段である。
【００１５】
具体的には、携帯機１０は、図１（ａ）に示すように、競技者の心拍数を検出する心拍数センサ１１及び競技者の血圧を検出する血圧センサ１２等の生理学センサ、これらセンサ１１、１２の検出結果を無線にてシステムコントローラ２０に送信する送受信回路１３、送受信回路１３、及び両センサ１１、１２を制御する制御回路１４、並びにこれら１１〜１４に電力を供給するバッテリ１５等から構成されている。
【００１６】
なお、心拍センサ１１及び血圧センサ１２は、特許文献１等に記載されている周知の生理学センサである。
また、制御回路１４は、ＣＰＵ、ＲＡＭ及びＲＯＭ等からなる周知のマイクロコンピュータにて構成されており、この制御回路１４は、送受信回路１３を介してシステムコントローラ２０との間で通信を行いながらＲＯＭに予め記憶されたプログラムに従って、心拍センサ１１、血圧センサ１２及び送受信回路１３を制御する。
【００１７】
２．２．システムコントローラ
システムコントローラ２０は、携帯機１０から送信されてくる心拍数情報及び血圧情報を受信し、受信した情報に基づいて生成した情報（以下、この情報を身体情報という。）を競技場に設置された表示装置３０等に表示する表示手段である。
【００１８】
具体的には、システムコントローラ２０は、図１（ｂ）に示すように、携帯機１０との間で情報を送受信する送受信回路２１、及び受信した情報を処理して身体情報を生成するとともに、その身体情報を競技場の表示装置３０、又はテレビシステムの中継局やインターネットにて画像を配信する中継局等に送信する処理回路２２等から構成されている。
【００１９】
なお、本実施形態に係る身体情報は、グラフや画像の変化を利用して心拍数や血圧の変化を、観客や視聴者が視覚を通じて直感的に認識することが可能な情報としたものであるが、本発明はこれに限定されるものではなく、心拍数や血圧の変化に応じて音声が変化する等の聴覚を通じて直感的に認識することが可能な情報を付加した情報であってもよい。
【００２０】
３．競技者用身体状態表示システムの作動及びその特徴
図２は、インターネットを介して配信される身体情報の表示例を示す図である。図２に示すように、システムコントローラ２０から送信（出力）されてきた身体情報は、複数人の競技者それぞれについて、競技者毎に同時に競技中に表示される。
【００２１】
つまり、身体情報Ａは、図２の左側の競技者についての身体情報であり、身体情報Ｂは、図２の左側の競技者についての身体情報である。
また、図２では、身体情報として、心拍数及び血圧が共に表示されているが、表示画面の下方側に設定された表示情報選択チェックボックス４０により、視聴者は、複数種類の身体情報の中から表示させるべき身体情報を選択することができる。
【００２２】
なお、視聴者は、マウス等のポインティングデバイス又はキーボードを介して表示情報選択チェックボックス４０の選択を行うことができるが、テレビジョンにおいては、いわゆるリモコンにて選択することができる。また、携帯型の端末機においては、ディスプレイ上に設定されたタッチパネルやキー操作により、表示情報選択チェックボックス４０の選択を行うことができる。
【００２３】
以上の述べたように、本実施形態によれば、観客等の視聴者は、競技を観戦しながら競技中の競技者の身体情報を知ることができるので、競技を観戦する観客の興趣を高めることができ得る。
【００２４】
４．発明特定事項と実施形態との対応関係
本実施形態では、携帯機１０が特許請求の範囲に記載された身体状態検出手段に相当し、システムコントローラ２０が特許請求の範囲に記載された表示手段に相当し、表示情報選択チェックボックス４０が特許請求の範囲に記載された選択手段に相当する。
【００２５】
（その他の実施形態）
上述の実施形態では、選択手段をなす表示情報選択チェックボックス４０を視聴者等が選択可能であったが、本発明はこれに限定されるものではなく、競技を放送又は配信している者のみが選択手段を操作可能としてもよい。
【００２６】
また、上述の実施形態では、生理学センサとして、心拍数センサ１１及び血圧センサ１２を用いたが、本発明はこれに限定されるものではなく、例えば、競技者の物理学的な運動状態を検出する３次元加速度センサ（３ＤＧセンサ）及び３軸ジャイロセンサ、競技者の心臓の拍動音を検出する心音センサ、心臓の動作状態を検出する心電センサ、又は競技者の発汗状態を検出する濡れセンサ等を用いてもよい。
【００２７】
また、競技者又は競技に用いる道具に３ＤＧセンサを装着し、競技の進行に合わせて３ＤＧセンサにて検出した加速度（運動状態）を観戦者に提供してもよい。
すなわち、野球においては、３ＤＧセンサをボール又はバットに埋設し、３ＤＧセンサが検出した加速度（運動状態）を、球場に設置された送受信回路２１にて受信し、この情報をゲームの進行に合わせて観戦者に提供してもよい。
【００２８】
また、サッカーにおいては、３ＤＧセンサをボール又は競技者のシューズに埋設し、３ＤＧセンサが検出した加速度（運動状態）を、ピッチに設置された送受信回路２１にて受信し、この情報をゲームの進行に合わせて観戦者に提供してもよい。
【００２９】
また、陸上競技においては、競技者のシューズに埋設し、３ＤＧセンサが検出した加速度（運動状態）を、トラック（競技場）又はマラソンコースに設置された送受信回路２１にて受信し、この情報を競技の進行に合わせて観戦者に提供してもよい。
【００３０】
また、本発明は、特許請求の範囲に記載された発明の趣旨に合致するものであればよく、上述の実施形態に限定されるものではない。
【図面の簡単な説明】
【００３１】
【図１】（ａ）は競技者に装着される携帯機１０の模式図であり、（ｂ）は、携帯機１０と無線信号を送受信するシステムコントローラ２０の概念図である。
【図２】インターネットを介して配信される身体情報の表示例を示す図である。
【符号の説明】
【００３２】
１０…携帯機、１１…心拍センサ、１２…血圧センサ、１３…送受信回路、
１４…制御回路、２０…システムコントローラ、２１…送受信回路、
３０…表示装置、４０…表示情報選択チェックボックス。
【図１】
2009095558.tif 000003
【図２】
2009095558.tif 000004